(57)【要約】【課題】使用者にとって使い勝手の良いリモコン装置を提供することを目的とする。【解決手段】押し操作が可能とされ前記押し操作に応じて機器を操作する操作ボタンと、前記押し操作に応じて押圧されることで電磁誘導を発生させ発電を行う発電部と、前記機器を遠隔操作するための信号を生成する電子部品を有する制御部と、前記操作ボタンの押し操作に応じて移動し前記発電部を押圧する伝達機構と、を備え、前記伝達機構は、発電を行うための前記操作ボタンの押し操作の操作力の最大値を下げる操作力調整手段を有するリモコン装置。【選択図】  図２５
2018073770.tif 000002
【特許請求の範囲】
【請求項１】
押し操作が可能とされ前記押し操作に応じて機器を操作する操作ボタンと、
前記押し操作に応じて押圧されることで電磁誘導を発生させ発電を行う発電部と、
前記機器を遠隔操作するための信号を生成する電子部品を有する制御部と、
前記操作ボタンの押し操作に応じて移動し前記発電部を押圧する伝達機構と、
を備え、
前記伝達機構は、発電を行うための前記操作ボタンの押し操作の操作力の最大値を下げる操作力調整手段を有するリモコン装置。
【請求項２】
前記操作力調整手段は、前記操作ボタンの押動部から押される受け面を有し、
前記受け面は、傾斜の途中から急な傾斜へと変化する請求項１記載のリモコン装置。
【請求項３】
前記受け面は、急な傾斜より更に急な傾斜へと変化する請求項２記載のリモコン装置。
【発明の詳細な説明】
【技術分野】
【０００１】
本発明の態様は、一般的にリモコン装置に関する。
【背景技術】
【０００２】
例えば、トイレ室、浴室、キッチン、およびシャワーブースなどの水回り設備には、電子機器を遠隔操作するリモコン装置が設けられている。このようなリモコン装置のうちで、衛生洗浄装置のリモートコントローラとして無電源で動作し、その結果、電源コードや電池などが不要とされた衛生洗浄装置のリモートコントローラがある（特許文献１）。
【０００３】
特許文献１に記載された衛生洗浄装置のリモートコントローラでは、使用者によってスイッチが押下操作されると、発電装置が発電を行う。リモートコントローラの制御部は、この電力を利用して、衛生洗浄装置の本体部に設けられた制御部に所定の信号を無線で送信する。特許文献１に記載された衛生洗浄装置のリモートコントローラは、通信用の電力を押下操作により確保するため、電池および商用電源が不要となる。これにより、メンテナンスフリー（電池交換不要）および配線フリー（配線工事不要）を実現することができる。
【先行技術文献】
【特許文献】
【０００４】
【特許文献１】特開２０１６−３４９２号公報
【発明の概要】
【発明が解決しようとする課題】
【０００５】
しかし、押下操作を利用して自己発電を行うリモートコントローラは、電池や外部電源から電気を供給されるリモートコントローラに比べて、押下操作によって発電を行うため操作力が大きいという課題があった。なお、操作力とは、使用者が発電を行うために必要な力のことである。
【０００６】
また、電磁誘導を発生させて発電を行う発電部の場合、発電部を押圧するための操作ボタンの操作力は一定ではなく、図２４のように変化する。図２４は、特許文献１の実施形態の電磁誘導式の発電部の操作ボタンの押し込み量と操作力との関係を表したグラフである。電磁誘導を発生させて発電を行う発電部（モータ等）では通電していない時も磁気により回転子の位置を保持しているが、操作ボタンの押し込みにより軸を強制的に回転させる際に、保持状態を破壊するため大きい操作力が必要となる。モータに使用される永久磁石はＳ極Ｎ極が交互に多数存在するため、何度も保持と保持状態の破壊を繰り返すため、操作力は一定ではなく山が複数存在する波形となる。そのため、大きい操作力が何度も必要となり使用者にとって使い勝手が悪かった。つまり、瞬間的に大きい操作力が必要となり使用者にとって使い勝手が悪かった。
【０００７】
本発明は、かかる課題の認識に基づいてなされたものであり、使用者にとって使い勝手の良いリモコン装置を提供することを目的とする。
【課題を解決するための手段】
【０００８】
第１の発明は、押し操作が可能とされ前記押し操作に応じて機器を操作する操作ボタンと、前記押し操作に応じて押圧されることで電磁誘導を発生させ発電を行う発電部と、前記機器を遠隔操作するための信号を生成する電子部品を有する制御部と、前記操作ボタンの押し操作に応じて移動し前記発電部を押圧する伝達機構と、を備え、前記伝達機構は、発電を行うための前記操作ボタンの押し操作の操作力の最大値を下げる操作力調整手段を有するリモコン装置である。
【０００９】
このリモコン装置によれば、操作力の最大値が下がるため、使用者にとって使い勝手のよいリモコン装置である。操作力調整手段があることで、操作力の最大値が下がり、伝達機構の負荷が下がるため、リモコン装置が壊れ難い。
【００１０】
第２の発明は、第１の発明において、前記操作力調整手段は、前記操作ボタンの押動部から押される受け面を有し、前記受け面は、傾斜の途中から急な傾斜へと変化するリモコン装置である。
【００１１】
このリモコン装置によれば、傾斜を急な傾斜とすることで、その部分での操作力を小さくすることができる。
【００１２】
第３の発明は、第２の発明において、前記受け面は、急な傾斜より更に急な傾斜へと変化する請求項２記載のリモコン装置である。
【００１３】
このリモコン装置によれば、更に急な傾斜とすることで、その部分での操作力を更に小さくできる。
【発明の効果】
【００１４】
本発明の態様によれば、操作力の最大値を下げ、使用者の操作性を上げ、使い勝手の良いリモコン装置が提供される。
【図面の簡単な説明】
【００１５】
【図１】本発明の実施の形態に係るトイレ装置用のリモコン装置を表す模式的斜視図である。
【図２】本実施形態にかかるリモコン装置を表す模式的平面図である。
【図３】本実施形態にかかるリモコン装置を表す模式図である。
【図４】本実施形態に係るリモコン装置を表すブロック図である。
【図５】本実施形態にかかるリモコン装置の具体例を表す模式的斜視図である。
【図６】本具体例のリモコン装置を表す模式的分解図である。
【図７】本具体例のリモコン装置を表す他の模式的分解図である。
【図８】本具体例の伝達機構の動作を説明する模式的平面図である。
【図９】図８（ａ）に表した領域ＡＲ１を拡大した模式的拡大図である。
【図１０】本具体例の伝達機構を保持したベースを表す模式的斜視図である。
【図１１】本具体例の伝達機構を分解して表した模式的分解図である。
【図１２】操作ボタンおよびメイン回転カムの動作を説明する模式的斜視図である。
【図１３】メイン回転カムおよびメインリンクの動作を説明する模式的斜視図である。
【図１４】本具体例のメイン回転カムを表す模式的分解図である。
【図１５】サブ回転カムおよびサブリンクの動作を説明する模式的斜視図である。
【図１６】本具体例のメイン回転カムを表す模式図である。
【図１７】本具体例のサブリンクを表す模式的斜視図である。
【図１８】本具体例の連結アームを表す模式的斜視図である。
【図１９】本具体例の検出部を説明する模式図である。
【図２０】図１９（ａ）に表した矢印ＡＷ４１の方向に眺めた模式的平面図である。
【図２１】本具体例の検出部を説明する模式的分解図である。
【図２２】本具体例のリモコン装置のバネ機構を示す正面視における模式図である。
【図２３】本具体例のリモコン装置の発電機構を示す側面視における模式図である。
【図２４】電磁誘導式の発電部の操作ボタンの押し込み量と操作力との関係を表したグラフである。
【図２５】本具体例の変形例２のメイン回転カムを表す模式図である。
【図２６】本具体例の変形例２の操作ボタンの押し込み量と操作力との関係を表したグラフと図２４との比較グラフである。
【図２７】本具体例の変形例３のメイン回転カムを表す模式図である。
【図２８】本具体例の変形例３の操作ボタンの押し込み量と操作力との関係を表したグラフと図２４との比較グラフである。
【発明を実施するための形態】
【００１６】
以下、本発明の実施の形態について図面を参照しつつ説明する。なお、各図面中、同様の構成要素には同一の符号を付して詳細な説明は適宜省略する。  
本発明の実施の形態にかかるリモコン装置は、例えば、トイレ室、浴室、キッチン、およびシャワーブースなどの水回り設備（機器）に使用される。以下では、トイレ装置用のリモコン装置を例に挙げ説明する。つまり、リモコン装置により操作される機器がトイレ装置である場合を例に挙げ説明する。但し、本発明の実施の形態にかかるリモコン装置は、トイレ装置用のリモコン装置には限定されない。
【００１７】
図１は、本発明の実施の形態に係るトイレ装置用のリモコン装置を表す模式的斜視図である。  
図１に表したように、本実施形態にかかるトイレ装置用のリモコン装置（以下、単に「リモコン装置」と称する）２００は、例えばトイレ室の壁面１０に設置され、トイレ装置１００とともに用いられる。リモコン装置２００は、操作ボタン２１０を有する。操作ボタン２１０は、例えば、押し操作（押圧操作）が可能な、いわゆる押しボタンである。操作ボタン２１０は、定常位置と最下点位置とに移動可能であり、押し操作に応じて定常位置から最下点位置に移動する。また、操作ボタン２１０は、バネ３３６（例えば図９および図１１など参照）などにより、操作されていない状態において定常位置に保持される。操作ボタン２１０は、押し操作によって最下点位置に移動した後、押し操作の解除によって定常位置に戻る。
【００１８】
リモコン装置２００は、操作ボタン２１０の操作を検出し、操作された操作ボタン２１０に応じた無線信号をトイレ装置１００に送信する。トイレ装置１００は、リモコン装置２００から送信された無線信号を受信し、その無線信号に応じた動作を実行する。このように、リモコン装置２００は、使用者の操作に応じて、所定の動作の実行をトイレ装置１００に指示し、トイレ装置１００を遠隔操作する。
【００１９】
トイレ装置１００は、洋式腰掛便器（以下、単に「便器」と称する）１１０と、便器１１０の上に設けられた便座ユニット１２０と、を備える。
【００２０】
便座ユニット１２０は、本体部１２２と、便座１２４と、便蓋１２６と、を有する。便座１２４と便蓋１２６とは、本体部１２２に対して開閉可能にそれぞれ軸支されている。図１は、便蓋１２６が開いた状態を表している。図１は、便座１２４が閉じた状態を表している。便蓋１２６は、閉じた状態において便座１２４の上方を覆う。なお、便蓋１２６は、必ずしも設けられていなくてもよい。
【００２１】
便座ユニット１２０は、例えば、衛生洗浄機能と、局部乾燥機能と、便座暖房機能と、を有する。衛生洗浄機能は、便座１２４に座った使用者の「おしり」などをノズル１３０により洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。
【００２２】
便座ユニット１２０は、リモコン装置２００から送信された無線信号に基づいて、例えば衛生洗浄機能の動作を実行する。あるいは、便座ユニット１２０は、リモコン装置２００から送信された無線信号に基づいて、例えば局部乾燥機能の動作を実行する。あるいは、便座ユニット１２０は、リモコン装置２００から送信された無線信号に基づいて、例えば便座暖房機能の動作を実行する。
【００２３】
図２は、本実施形態にかかるリモコン装置を表す模式的平面図である。  
図３は、本実施形態にかかるリモコン装置を表す模式図である。  
図３（ａ）は、本実施形態にかかるリモコン装置を表す模式的平面図である。図３（ｂ）は、図３（ａ）に表した切断面Ａ−Ａにおける模式的断面図である。図３（ｃ）は、本実施形態にかかるリモコン装置の変形例を表す模式的断面図であり、図３（ａ）に表した切断面Ａ−Ａにおける模式的断面図に相当する。
【００２４】
図２および図３（ａ）に表したように、リモコン装置２００は、操作ボタン２１０と、操作ボタン２１０を支持するリモコン本体２０１と、リモコン本体２０１の内部に設けられた発電部２２０と、を備える。操作ボタン２１０は、メインボタン群２１０ｍと、サブボタン群２１０ｓと、を有する。
【００２５】
メインボタン群２１０ｍは、例えば、おしり洗浄ボタン２１１と、ビデ洗浄ボタン２１２と、乾燥ボタン２１３と、停止ボタン２１４と、を有する。
【００２６】
おしり洗浄ボタン２１１は、トイレ装置１００におしり洗浄の開始を指示するためのボタンである。ビデ洗浄ボタン２１２は、トイレ装置１００にビデ洗浄の開始を指示するためのボタンである。乾燥ボタン２１３は、トイレ装置１００に局部乾燥の開始を指示するためのボタンである。停止ボタン２１４は、トイレ装置１００に衛生洗浄機能や局部乾燥機能の停止を指示するためのボタンである。すなわち、この例においては、おしり洗浄ボタン２１１とビデ洗浄ボタン２１２とが、ノズル１３０からの吐水を行わせるための吐水ボタンである。停止ボタン２１４は、ノズル１３０からの吐水を停止させる。
【００２７】
このように、メインボタン群２１０ｍには、衛生洗浄や局部乾燥などの各種の機能の実行及び停止をトイレ装置１００に指示するための操作ボタン２１０が設けられる。
【００２８】
サブボタン群２１０ｓは、例えば、吐水流量大ボタン２１５と、吐水流量小ボタン２１６と、洗浄位置前進ボタン２１７と、洗浄位置後退ボタン２１８と、を有する。
【００２９】
吐水流量大ボタン２１５は、衛生洗浄時に噴射される洗浄水の勢いを強くする指示をトイレ装置１００に入力するためのボタンである。吐水流量小ボタン２１６は、衛生洗浄時に噴射される洗浄水の勢いを弱くする指示をトイレ装置１００に入力するためのボタンである。洗浄位置前進ボタン２１７は、洗浄位置（ノズル１３０の位置）を前進させる指示をトイレ装置１００に入力するためのボタンである。洗浄位置後退ボタン２１８は、洗浄位置を後退させる指示をトイレ装置１００に入力するためのボタンである。
【００３０】
このように、サブボタン群２１０ｓには、各種の機能の状態の変更をトイレ装置１００に指示するための操作ボタン２１０が設けられる。
【００３１】
なお、メインボタン群２１０ｍ及びサブボタン群２１０ｓに含まれるボタンは、上記に限定されるものではない。例えば、サブボタン群２１０ｓには、洗浄水や乾燥風の温度の変更をトイレ装置１００に指示するためのボタンなどが設けられてもよい。
【００３２】
発電部２２０は、操作ボタン２１０の押し操作に応じて発電を行う。図２および図３（ａ）に表したように、操作ボタン２１０が複数のボタンを有する場合には、発電部２２０は、操作ボタン２１０のうちのいずれかのボタンの押し操作に応じて発電を行う。発電部２２０には、例えば、モータが設けられている。発電部２２０は、操作ボタン２１０の押し操作にともなう操作力をモータの回転軸に伝達し、回転軸を回転させる。これにより、発電部２２０は、モータから交流の電力を発生させる。発電部２２０の発電方式は、モータに限ることなく、必要な電力を供給できる任意の方式でよい。また、発電部２２０から出力される電力は、直流でもよいし、脈流でもよい。
【００３３】
このように、本願明細書において「発電部」とは、運動エネルギーを受けて発電する部分、あるいは運動エネルギーを電気エネルギーに変換する部分をいう。発電部２２０の発電方式としては、例えば電磁誘導方式や圧電方式などが挙げられる。
【００３４】
発電部２２０は、本体モジュール２２１と、可動部２２２と、を有する。可動部２２２は、本体モジュール２２１から突出した突出位置と、本体モジュール２２１内に押し込まれた押し込み位置と、の間を移動する。可動部２２２は、図示を省略したバネなどにより、操作されていない状態において突出位置に保持される。可動部２２２が突出位置から押し込み位置に移動すると、発電部２２０は、可動部２２２の移動にともなう操作力により発電を行う。
【００３５】
図３（ａ）に表したように、操作ボタン２１０と発電部２２０との間には、伝達機構２３０が設けられている。伝達機構２３０は、操作ボタン２１０の押し操作にともなう操作力を発電部２２０に伝達する。これにより、操作ボタン２１０のうちのいずれのボタンを押し操作しても、押し操作に伴う操作力が発電部２２０に伝達される。これにより、発電部２２０が発電を行う。従って、リモコン装置２００では、操作ボタン２１０が複数のボタンを有する場合であっても、１つの発電部２２０で発電を行うことができる。
【００３６】
伝達機構２３０は、例えば、第１伝達部２３１と、第２伝達部２３２と、連結部材２３３と、を有する。第１伝達部２３１は、メインボタン群２１０ｍの各ボタン（図２および図３（ａ）に表した例では、おしり洗浄ボタン２１１、ビデ洗浄ボタン２１２、乾燥ボタン２１３、および停止ボタン２１４のそれぞれ）の操作力を受ける。連結部材２３３は、第１伝達部２３１と第２伝達部２３２とに接続され、第１伝達部２３１と第２伝達部２３２とを連結する。第２伝達部２３２は、第１伝達部２３１からの操作力を受ける。
【００３７】
第１伝達部２３１は、メインボタン群２１０ｍの各ボタンの操作力を連結部材２３３を介して第２伝達部２３２に伝達する。第２伝達部２３２は、連結部材２３３を介して第１伝達部２３１から受けた操作力を発電部２２０に伝達する。あるいは、第２伝達部２３２は、サブボタン群２１０ｓの各ボタン（図２および図３（ａ）に表した例では、吐水流量大ボタン２１５、吐水流量小ボタン２１６、洗浄位置前進ボタン２１７、および洗浄位置後退ボタン２１８のそれぞれ）の操作力を受け、その操作力を発電部２２０に伝達する。
【００３８】
第１伝達部２３１は、メインボタン群２１０ｍの各ボタンのそれぞれと対向する。第２伝達部２３２は、サブボタン群２１０ｓの各操作ボタン２１０のそれぞれと対向する。また、第２伝達部２３２は、長手方向において発電部２２０の可動部２２２と対向する位置に配置されている。
【００３９】
第１伝達部２３１は、図３（ａ）に表した矢印ＡＷ１ならび図３（ａ）および図３（ｂ）に表した矢印ＡＷ２のように、壁面１０と略平行な方向にスライド可能に取り付けられている。第２伝達部２３２は、図３（ａ）および図３（ｂ）に表した矢印ＡＷ３ならびに図３（ａ）に表した矢印ＡＷ４のように、壁面１０と略平行な方向にスライド可能に取り付けられている。すなわち、第１伝達部２３１及び第２伝達部２３２は、いわゆるスライドバーである。また、第１伝達部２３１及び第２伝達部２３２は、連結部材２３３によって互いに接続されている。これにより、第１伝達部２３１及び第２伝達部２３２は、互いに連動してスライド移動する。
【００４０】
メインボタン群２１０ｍの各ボタンのいずれかを押し操作すると、その操作力が第１伝達部２３１に伝わる。すると、第１伝達部２３１が図３（ａ）および図３（ｂ）に表した矢印ＡＷ２の方向（壁面１０と略平行な方向）にスライド移動する。第１伝達部２３１が図３（ａ）および図３（ｂ）に表した矢印ＡＷ２の方向にスライド移動すると、連結部材２３３は、軸２３３ａを中心として図３（ａ）に表した矢印ＡＷ５の方向に回転する。すると、第２伝達部２３２は、図３（ａ）および図３（ｂ）に表した矢印ＡＷ３の方向（壁面１０と略平行な方向）にスライド移動し、発電部２２０の可動部２２２に当接して可動部２２２を突出位置から押し込み位置に移動させる。これにより、メインボタン群２１０ｍの各ボタンの押し操作によって、発電部２２０が発電を行う。
【００４１】
サブボタン群２１０ｓの各ボタンのいずれかを押し操作すると、その操作力が第２伝達部２３２に伝わる。すると、第２伝達部２３２が図３（ａ）および図３（ｂ）に表した矢印ＡＷ３の方向にスライド移動する。第２伝達部２３２は、図３（ａ）および図３（ｂ）に表した矢印ＡＷ３の方向にスライド移動すると、発電部２２０の可動部２２２に当接し、可動部２２２を突出位置から押し込み位置に移動させる。これにより、サブボタン群２１０ｓの各ボタンの押し操作によって、発電部２２０が発電を行う。
【００４２】
リモコン装置２００は、クリック機構２２８をさらに備える。クリック機構２２８は、押し操作された操作ボタン２１０にクリック感を付与する。
【００４３】
図２および図３（ａ）に表したリモコン装置２００において、クリック機構２２８は、発電部２２０に設けられている。発電部２２０では、例えば、バネなどの弾性力に対抗して可動部２２２を押し込むと、可動部２２２に係合した連動部材が移動する。そして、可動部２２２が押し込み位置まで移動すると、クリック機構２２８により、連動部材と可動部２２２との係合状態が一時的に解除され、連動部材が弾性力によって初期位置に戻る。この時に、操作ボタン２１０の操作力が弱まり、使用者にクリック感として伝わる。
【００４４】
また、連動部材は、ギヤなどを介してモータの回転軸に連結されており、連動部材が初期位置に戻る際の勢いで回転軸が回転し、発電が行われる。発電部２２０では、操作ボタン２１０を押し操作し、可動部２２２を押し込み位置に移動させることによって発電が行われる。そして、発電部２２０が発電する時に、押し操作された操作ボタン２１０にクリック感が付与される。この構成では、例えば、使用者の押し操作の速度などに依存せず、連動部材に加える弾性力によって発電量を制御することができる。これにより、例えば、操作毎の発電量のバラツキを抑制することができる。発電部２２０において、安定した発電量を得ることができる。発電機構の具体的構成については、後に詳述する。
【００４５】
この例において、クリック機構２２８は、発電部２２０の発電機構の一部を兼ねている。クリック機構２２８は、必ずしも発電部２２０に設ける必要はなく、発電部２２０と別に設けてもよい。
【００４６】
ここで、発電部２２０の可動部２２２が押し込み位置に移動すると、比較的大きい音が発生することがある。例えば、クリック機構２２８により、連動部材と可動部２２２との係合状態が一時的に解除され、連動部材が弾性力によって初期位置に戻ると、比較的大きい音が発生することある。
【００４７】
一般的に、リモコン装置２００は、使用者が便座１２４に着座した状態で操作ボタン２１０を操作しやすいように、トイレ室の壁面１０に設置される。そのため、図３（ｂ）に表した矢印ＡＷ６のように、操作ボタン２１０の押し操作の方向（押圧方向）は、壁面１０に対して略垂直である。言い換えれば、操作ボタン２１０は、押し操作の方向が壁面１０に対して略垂直となるボタンを有する。あるいは、図３（ｃ）に表した矢印ＡＷ７および矢印ＡＷ７ｈのように、操作ボタン２１０の押し操作の方向は、壁面１０に対して略垂直な成分を有する。言い換えれば、操作ボタン２１０は、押し操作の方向が壁面１０に対して略垂直な成分を有するようなボタンを有する。
【００４８】
このように、操作ボタンの押し操作の方向が壁面に対して略垂直な成分を有すると、発電部の可動部が押し込み位置に移動したときに生ずる音が、例えば連続して設置された複数のトイレ室のうちの隣のトイレ室に壁面を介して伝わることがある。すると、隣のトイレ室の使用者は、リモコン装置を操作していないにもかかわらずリモコン装置が勝手に操作されたと勘違いをするおそれがある。あるいは、隣のトイレ室の使用者は、トイレ室の壁面を介して伝わった発電部の音を不快に感ずるおそれがある。あるいは、隣のトイレ室の使用者は、リモコン装置が故障したと勘違いをするおそれがある。
【００４９】
これに対して、図３（ｂ）および図３（ｃ）に表した矢印ＡＷ３のように、本実施形態にかかるリモコン装置２００では、リモコン装置２００がトイレ室の壁面１０に設置された状態において発電部２２０の可動部２２２が押し込まれる方向は、壁面１０と略平行である。言い換えれば、リモコン装置２００がトイレ室の壁面１０に設置された状態において発電部２２０の可動部２２２の押圧方向は、壁面１０と略平行である。
【００５０】
本実施形態によれば、発電部２２０の可動部２２２が壁面１０と略平行な方向に押し込まれるため、発電部２２０の可動部２２２が押し込み位置に移動したときに生ずる音は、壁面１０と略平行に伝わりやすい。そのため、発電部２２０の可動部２２２が押し込まれるエネルギーは、壁面１０には伝わりにくい。これにより、リモコン装置２００から壁面１０へ伝わる振動を抑制することができる。また、リモコン装置２００から壁面１０へ伝わる音を抑制することができる。
【００５１】
本実施形態では、第１伝達部２３１および第２伝達部２３２は、操作ボタン２１０の押し操作に応じて壁面１０と略平行な方向に移動する。第２伝達部２３２は、発電部２２０の可動部２２２を押し込む。これにより、比較的簡単な構成で発電部２２０の可動部２２２を押し込むことができる。
【００５２】
本実施形態では、操作ボタン２１０の押し操作の方向は、壁面１０に対して略垂直な成分を有する。そのため、一般的なリモコン装置の操作方法と変わらない方法で、発電部２２０の可動部２２２を押し込むことができる。
【００５３】
本実施形態の連結部材２３３は、操作ボタン２１０の押し操作に応じて回転動作を行い、第１伝達部２３１および第２伝達部２３２をスライド移動させる。これにより、連結部材２３３は、比較的狭い範囲であっても、第１伝達部２３１および第２伝達部２３２を移動させることができる。これにより、リモコン装置２００の小型化を図ることができる。
【００５４】
本実施形態のリモコン装置２００について、図面を参照しつつさらに説明する。  
図４は、本実施形態に係るリモコン装置を表すブロック図である。  
図４に表したように、リモコン装置２００は、操作ボタン２１０と、複数の検出部２４１と、伝達機構２３０と、発電部２２０と、電源部２４３と、制御部２５０と、を備える。操作ボタン２１０と、伝達機構２３０と、発電部２２０と、については、図２〜図３（ｃ）に関して前述した通りである。
【００５５】
複数の検出部２４１は、操作ボタン２１０が有する複数のボタンのそれぞれに対応して設けられる。複数の検出部２４１のそれぞれは、複数のボタンのそれぞれの押し操作を検出する。各検出部２４１には、例えば、ホール素子が用いられる。各検出部２４１は、例えば、機械式のスイッチなどでもよい。検出部２４１の具体例については、後述する。
【００５６】
制御部２５０は、複数の検出部２４１のそれぞれと電気的に接続されている。制御部２５０は、複数の検出部２４１のそれぞれの検出結果に基づいて、押し操作された操作ボタン２１０を判別する。そして、制御部２５０は、判別した操作ボタン２１０に対応した無線信号をトイレ装置１００に送信することにより、トイレ装置１００を遠隔操作する。
【００５７】
制御部２５０は、例えば、おしり洗浄ボタン２１１の押し操作を判別した場合、おしり洗浄の開始を指示する無線信号をトイレ装置１００に送信する。トイレ装置１００は、リモコン装置２００からの無線信号を受信し、その無線信号に対応した処理を実行する。トイレ装置１００は、例えば、おしり洗浄の開始を指示する無線信号の受信に応じて、ノズル１３０をボウル部内に進出させ、ノズル１３０からの吐水を開始する。
【００５８】
制御部２５０は、例えば、同じ無線信号をトイレ装置１００に複数回送信する。制御部２５０は、例えば、同じ無線信号をトイレ装置１００に３回送信する。これにより、例えば、リモコン装置２００とトイレ装置１００との間の通信ミスを抑制することができる。
【００５９】
制御部２５０は、例えば、マイコン２５１と、高周波発生回路２５３と、送信部２５５と、を有する。マイコン２５１は、例えば、押し操作された操作ボタン２１０の判別、及び、判別した操作ボタン２１０に対応する信号の生成を行う。高周波発生回路２５３は、例えば、マイコン２５１の生成した信号を高周波信号に変換する。高周波発生回路２５３は、例えば、２．４ＧＨｚの高周波信号を生成する。送信部２５５は、例えば、アンテナを含み、高周波発生回路２５３の生成した高周波信号を無線信号に変換してトイレ装置１００に送信する。
【００６０】
制御部２５０は、２．４ＧＨｚの無線信号をトイレ装置１００に送信する。２．４ＧＨｚ帯を用いた無線通信では、例えば、赤外線通信の場合のように、電波の透過窓（いわゆる黒窓）をリモコン本体２０１に設ける必要がない。これにより、例えば、リモコン装置２００の意匠性を高めることができる。また、２．４ＧＨｚ帯を用いた無線通信では、赤外線通信に比べて障害物の影響が小さい。これにより、トイレ装置１００との間の通信品質を高めることもできる。
【００６１】
なお、マイコン２５１、高周波発生回路２５３及び送信部２５５は、１つのチップ内に納めてもよいし、異なる素子として分けてもよい。リモコン装置２００とトイレ装置１００との間の通信は、上記に限ることなく、任意でよい。制御部２５０の構成は、上記に限ることなく、操作ボタン２１０の判別やトイレ装置１００との無線通信などが可能な任意の構成でよい。
【００６２】
電源部２４３は、発電部２２０によって発電された電力を蓄積する蓄電素子２４５を有する。電源部２４３は、蓄電素子２４５の電圧が所定値以上になった際に、蓄電素子２４５に蓄積された電力を制御部２５０に供給して制御部２５０を起動させる。蓄電素子２４５には、例えば、コンデンサや蓄電池などが用いられる。
【００６３】
ここで、「蓄電素子２４５の電圧が所定値以上になった際」とは、例えば、制御部２５０の起動及び無線信号の送信に必要な電力が蓄電素子２４５に蓄積された際である。制御部２５０が無線信号を複数回送信する場合には、制御部２５０の起動及び無線信号の複数回の送信に必要な電力が蓄電素子２４５に蓄積された際である。このように、蓄電素子２４５の電圧の前記所定値は、制御部２５０での消費電力に応じて設定される。所定値は、例えば、３．５Ｖである。「蓄電素子２４５の電圧が所定値以上になった際」とは、換言すれば、発電部２２０の発電の積算量が所定値以上になった際である。
【００６４】
また、蓄電素子２４５の容量は、例えば、制御部２５０の起動及び無線信号の送信に必要な電力を蓄積できる最低限の容量に設定される。これにより、例えば、蓄電素子２４５の大型化を抑制できる。また、蓄電素子２４５に残った余剰の電力によって、制御部２５０が誤動作を起こすことなどを抑制できる。
【００６５】
次に、本実施形態にかかるリモコン装置の具体例について、図面を参照しつつ説明する。  
図５は、本実施形態にかかるリモコン装置の具体例を表す模式的斜視図である。  
図６は、本具体例のリモコン装置を表す模式的分解図である。  
図７は、本具体例のリモコン装置を表す他の模式的分解図である。
【００６６】
本具体例のリモコン装置３００は、第１のケース（リモコン本体）３０１と、第２のケース（リモコン本体）３０２と、ベース３０４と、基板３０６と、操作ボタン３１０と、発電部３２０と、伝達機構（リンク機構）３３０と、を備える。
【００６７】
操作ボタン３１０は、複数のボタンを有する。図５に表したように、本具体例の操作ボタン３１０は、第１のボタン３１１と、第２のボタン３１２と、第３のボタン３１３と、第４のボタン３１４と、第５のボタン３１５と、第６のボタン３１６と、第７のボタン３１７と、第８のボタン３１８と、第９のボタン３１９と、を有する。操作ボタン３１０が有するボタンの数は、これだけには限定されない。例えば、第１のボタン３１１は、図２〜図３（ｃ）に関して前述したおしり洗浄ボタン２１１に相当する。例えば、第２のボタン３１２は、図２〜図３（ｃ）に関して前述したビデ洗浄ボタン２１２に相当する。
【００６８】
操作ボタン２１０は、第１のケース３０１に設けられ、押動部３１０ａを有する。図７に表したように、第４のボタン３１４は、押動部３１４ａを有する。第９のボタン３１９は、押動部３１９ａを有する。
【００６９】
発電部３２０は、ベース３０４に設けられ、本体モジュール３２１と、可動部３２２と、を有する。本具体例の発電部３２０は、図２〜図３（ｃ）に関して前述した発電部２２０と同様である。
【００７０】
伝達機構３３０は、ベース３０４において、操作ボタン３１０と発電部３２０との間に設けられている。伝達機構３３０は、メインリンク３３１と、サブリンク３３２と、連結アーム３３３と、メイン回転カム（受け部）３３４と、サブ回転カム（受け部）３３５と、を有する。伝達機構３３０は、操作ボタン３１０の押し操作にともなう操作力を発電部３２０に伝達する。メインリンク３３１は、図２〜図３（ｃ）に関して前述した第１伝達部２３１に相当する。サブリンク３３２は、図２〜図３（ｃ）に関して前述した第２伝達部２３２に相当する。連結アーム３３３は、図２〜図３（ｃ）に関して前述した連結部材２３３に相当する。
【００７１】
基板３０６は、ベース３０４に固定されている。図４に関して前述した電源部２４３および制御部２５０は、基板３０６に設けられている。ベース３０４は、発電部３２０と、伝達機構３３０と、基板３０６と、を保持した状態で第２のケース３０２に固定されている。つまり、発電部３２０、伝達機構３３０、および基板３０６は、ベース３０４を介して第２のケース３０２に固定されている。発電部３２０、伝達機構３３０、および基板３０６は、第２のケース３０２に直接的には固定されていない。ベース３０４は、第１のケース３０１と第２のケース３０２との間に設けられている。言い換えれば、ベース３０４は、リモコン本体２０１の内部に設けられている。第１のケース３０１および第２のケース３０２は、図２〜図３（ｃ）に関して前述したリモコン本体２０１に相当する。
【００７２】
本具体例のリモコン装置３００は、ハンガ３０９によりトイレ室の壁面１０（例えば図１参照）に設置されている。ハンガ３０９は、例えば金属により形成されている。なお、本具体例のリモコン装置３００は、ハンガ３０９を介さずに直接的にトイレ室の壁面１０に設置されていてもよい。本具体例によれば、発電部３２０が第２のケース３０２には固定されずベース３０４に固定されているため、リモコン装置２００から壁面１０へ伝わる振動や音をより抑制することができる。
【００７３】
図８は、本具体例の伝達機構の動作を説明する模式的平面図である。  
図９は、図８（ａ）に表した領域ＡＲ１を拡大した模式的拡大図である。  
図８（ａ）は、操作ボタンの押し操作が行われる前の伝達機構の状態を表す模式的平面図である。図８（ｂ）は、操作ボタンの押し操作が行われた後の伝達機構の状態を表す模式的平面図である。なお、図８（ａ）および図８（ｂ）では、説明の便宜上、第１のケース３０１および操作ボタン３１０を省略している。
【００７４】
図８（ａ）に表したように、操作ボタン３１０の押し操作が行われる前では、可動部３２２は、本体モジュール３２１から突出した突出位置にある。このとき、操作ボタン３１０の各ボタンは、オフ状態である。また、発電部３２０は、発電を行わない。
【００７５】
図９に表したように、軸３３４ａの周囲には、バネ３３６が設けられている。例えば、バネ３３６としては、ねじりコイルばねなどが挙げられる。メイン回転カム３３４は、バネ３３６の弾性力を受けつつ、軸３３４ａを中心として回転することができる。メイン回転カム３３４は、操作ボタン３１０の押し操作が行われる前では、バネ３３６により図９に表した定常位置に保持される。サブ回転カム３３５の構造は、メイン回転カム３３４の構造と同様である。
【００７６】
続いて、例えば使用者などが操作ボタン３１０の第１のボタン３１１を押し操作する場合を例に挙げ説明する。例えば使用者などが第１のボタン３１１を押し操作すると、その操作力が操作ボタン３１０の押動部３１０ａ（図７参照）からメイン回転カム３３４に伝わる。すると、メイン回転カム３３４は、操作力を受け、バネ３３６の弾性力に対抗しつつ軸３３４ａを中心として図９に表した矢印ＡＷ１１の方向に回転する。メイン回転カム３３４は、図９に表した矢印ＡＷ１１の方向に回転すると、メインリンク３３１を図９および図８（ｂ）に表した矢印ＡＷ１２の方向へ押す。これにより、メインリンク３３１は、図９および図８（ｂ）に表した矢印ＡＷ１２の方向（壁面１０と略平行な方向）に移動する。
【００７７】
メインリンク３３１およびサブリンク３３２は、連結アーム３３３によって互いに接続されている。これにより、メインリンク３３１およびサブリンク３３２は、互いに連動して移動する。そのため、メインリンク３３１が図９および図８（ｂ）に表した矢印ＡＷ１２の方向に移動すると、連結アーム３３３は、軸３３３ｄを中心として図８（ｂ）に表した矢印ＡＷ１３の方向に回転する。すると、サブリンク３３２は、図８（ｂ）に表した矢印ＡＷ１４の方向（壁面１０と略平行な方向）に移動する。
【００７８】
サブリンク３３２は、図８（ｂ）に表した矢印ＡＷ１４の方向に移動し、発電部３２０の可動部３２２を突出位置から押し込み位置に移動させる。このとき、発電部３２０の可動部３２２が押し込まれる方向は、壁面１０と略平行である。言い換えれば、リモコン装置３００がトイレ室の壁面１０に設置された状態において発電部３２０の可動部３２２の押圧方向は、壁面１０と略平行である。これにより、第１のボタン３１１の押し操作によって、発電部３２０が発電を行う。なお、第２のボタン３１２、第３のボタン３１３、および第４のボタン３１４の押し操作によっても、伝達機構３３０の同様の動作に基づいて、発電部３２０が発電を行う。
【００７９】
次に、例えば使用者などが操作ボタン３１０の第５のボタン３１５を押し操作する場合を例に挙げ説明する。  
操作ボタン３１０の押し操作が行われる前の状態は、図８（ａ）に関して前述した通りである。
【００８０】
例えば使用者などが第５のボタン３１５を押し操作すると、その操作力が操作ボタン３１０の押動部３１０ａからサブ回転カム３３５に伝わる。すると、サブ回転カム３３５は、操作力を受け、バネ３３６の弾性力に対抗しつつ軸３３５ａを中心として図８（ｂ）に表した矢印ＡＷ１５の方向に回転する。サブ回転カム３３５は、図８（ｂ）に表した矢印ＡＷ１５の方向に回転すると、サブリンク３３２を図８（ｂ）に表した矢印ＡＷ１４の方向へ押す。これにより、サブリンク３３２は、図８（ｂ）に表した矢印ＡＷ１４の方向に移動する。
【００８１】
サブリンク３３２は、図８（ｂ）に表した矢印ＡＷ１４の方向に移動し、発電部３２０の可動部３２２を突出位置から押し込み位置に移動させる。これにより、第５のボタン３１５の押し操作によって、発電部３２０が発電を行う。なお、第６のボタン３１６、第７のボタン３１７、第８のボタン３１８、および第９のボタン３１９の押し操作によっても、伝達機構３３０の同様の動作に基づいて、発電部３２０が発電を行う。
【００８２】
本具体例の伝達機構３３０について、図面を参照しつつさらに説明する。  
図１０は、本具体例の伝達機構を保持したベースを表す模式的斜視図である。  
図１１は、本具体例の伝達機構を分解して表した模式的分解図である。  
図１２は、操作ボタンおよびメイン回転カムの動作を説明する模式的斜視図である。  
図１３は、メイン回転カムおよびメインリンクの動作を説明する模式的斜視図である。
図１４は、本具体例のメイン回転カムを表す模式的分解図である。
【００８３】
図１２（ａ）は、操作ボタンの押し操作が行われる前の状態を表す模式的斜視図である。図１２（ｂ）は、操作ボタンの押し操作が行われた後の状態を表す模式的斜視図である。  
図１３（ａ）および図１３（ｂ）は、操作ボタンの押し操作が行われた後の状態を表す模式的斜視図である。図１３（ｂ）では、説明の便宜上、メインリンク３３１を省略している。
【００８４】
図１０および図１１に表したように、本具体例の伝達機構３３０は、メインリンク３３１と、サブリンク３３２と、連結アーム３３３と、メイン回転カム３３４と、サブ回転カム３３５と、を有する。図１１に表したように、メイン回転カム３３４には、ベース３０４に設けられた軸３３４ａが挿入されている。これにより、メイン回転カム３３４は、軸３３４ａを中心として回転することができる。サブ回転カム３３５には、ベース３０４に設けられた軸３３５ａが挿入されている。これにより、サブ回転カム３３５は、軸３３５ａを中心として回転することができる。
【００８５】
軸３３４ａの周囲には、バネ３３６が設けられている。メイン回転カム３３４は、操作ボタン３１０の押し操作が行われる前では、バネ３３６により図１０に表した定常位置に保持される。軸３３５ａの周囲には、バネ３３６が設けられている。サブ回転カム３３５は、操作ボタン３１０の押し操作が行われる前では、バネ３３６により図１０に表した定常位置に保持される。
【００８６】
図１１に表したように、連結アーム３３３は、第１の突起部３３３ａと、第２の突起部３３３ｂと、を有する。第１の突起部３３３ａは、メインリンク３３１と係合している。第２の突起部３３３ｂは、サブリンク３３２と係合している。これにより、メインリンク３３１およびサブリンク３３２は、連結アーム３３３によって互いに接続されている。
【００８７】
ここでは、例えば使用者などが操作ボタン３１０の第１のボタン３１１を押し操作する場合を例に挙げ説明する。図１２（ａ）に表したように、第１のボタン３１１の押し操作が行われる前では、第１のボタン３１１の押動部３１１ａは、メイン回転カム３３４の受け面３３４ｂの上に存在する。
【００８８】
続いて、図１２（ｂ）に表した矢印ＡＷ２１のように、例えば使用者などが第１のボタン３１１を押し操作すると、第１のボタン３１１の押動部３１１ａは、メイン回転カム３３４の受け面３３４ｂを図１２（ｂ）に表した矢印ＡＷ２１の方向へ押す。図１２（ｂ）および図１３（ａ）に表したように、メイン回転カム３３４の受け面３３４ｂは、操作ボタン３１０の押し操作の方向（矢印ＡＷ２１の方向）に対して傾斜している。そのため、メイン回転カム３３４は、図１２（ｂ）に表した矢印ＡＷ２２の方向および図１３（ａ）に表した矢印ＡＷ２３の方向に軸３３４ａを中心として回転する。
【００８９】
すると、図１３（ａ）に表したように、メイン回転カム３３４は、メインリンク３３１の内面３３１ａを図１３（ａ）に表した矢印ＡＷ２４の方向へ押す。これにより、メインリンク３３１は、図１３（ａ）に表した矢印ＡＷ２４の方向（壁面１０と略平行な方向）に移動する。このように、第１のボタン３１１の押動部３１１ａは、メイン回転カム３３４の受け面３３４ｂを押すことでメインリンク３３１をスムーズに移動させることができる。
【００９０】
図１３（ｂ）および図１４に表したように、磁石３４１がメイン回転カム３３４に保持されている。より具体的には、図１４に表したように、メイン回転カム３３４は、凹部３３４ｃを有する。磁石３４１は、メイン回転カム３３４の凹部３３４ｃに保持されている。磁石３４１は、本具体例の検出部３４０が有する部材のひとつである。本具体例の検出部３４０の詳細については、後述する。
【００９１】
図１５は、サブ回転カムおよびサブリンクの動作を説明する模式的斜視図である。  
ここでは、例えば使用者などが操作ボタン３１０の第５のボタン３１５を押し操作する場合を例に挙げ説明する。第５のボタン３１５の押し操作が行われる前では、第５のボタン３１５の押動部３１５ａは、サブ回転カム３３５の受け面３３５ｂの上に存在する。
【００９２】
続いて、図１５に表した矢印ＡＷ２５のように、例えば使用者などが第５のボタン３１５を押し操作すると、第５のボタン３１５の押動部３１５ａは、サブ回転カム３３５の受け面３３５ｂを押す。図１５に表したように、サブ回転カム３３５の受け面３３５ｂは、操作ボタン３１０の押し操作の方向（矢印ＡＷ２５の方向）に対して傾斜している。そのため、サブ回転カム３３５は、図１５に表した矢印ＡＷ２６の方向に軸３３５ａを中心として回転する。
【００９３】
すると、サブ回転カム３３５は、サブリンク３３２の内面３３２ａを図１５に表した矢印ＡＷ２７の方向へ押す。これにより、サブリンク３３２は、図１５に表した矢印ＡＷ２７の方向（壁面１０と略平行な方向）に移動する。このように、第５のボタン３１５の押動部３１５ａは、サブ回転カム３３５の受け面３３５ｂを押すことでサブリンク３３２をスムーズに移動させることができる。
【００９４】
図１５に表した矢印ＡＷ２８のように、サブリンク３３２は、図１５に表した矢印ＡＷ２７の方向に移動すると、発電部３２０の可動部３２２を突出位置から押し込み位置に移動させる。
【００９５】
次に、本具体例の伝達機構３３０が有する部材の詳細について、図面を参照しつつ説明する。  
図１６は、本具体例のメイン回転カムを表す模式図である。  
図１６（ａ）は、本具体例のメイン回転カムを表す模式的斜視図である。図１６（ｂ）は、図１６（ａ）に表した矢印ＡＷ３１の方向にみたときのメイン回転カムを表す模式的平面図である。
【００９６】
本具体例のメイン回転カム３３４は、受け面３３４ｂと、ラウンド部３３４ｅと、凸部３３４ｆと、を有する。受け面３３４ｂは、操作ボタン３１０の押し操作の方向（図１２（ｂ）および図１６（ｂ）に表した矢印ＡＷ２１参照）に対して傾斜している。これにより、操作ボタン２１０の押し操作にともなう操作力を、壁面１０に対して略垂直な方向から壁面１０と略平行な方向に変換することができる。ラウンド部３３４ｅは、メインリンク３３１の内面３３１ａを押す。ラウンド部３３４ｅは、湾曲形状を有するため、メイン回転カム３３４の回転角度によらず安定的にメインリンク３３１の内面３３１ａを押すことができる。凸部３３４ｆには、バネ３３６が引っ掛けられる。
【００９７】
本具体例のメイン回転カム３３４は、凹部３３４ｃと、穴３３４ｄと、を有する。凹部３３４ｃには、磁石３４１が保持される。穴３３４ｄには、ベース３０４に設けられた軸３３４ａが挿入される。  
なお、サブ回転カム３３５の構造は、メイン回転カム３３４の構造と同様である。
【００９８】
図１７は、本具体例のサブリンクを表す模式的斜視図である。  
図１７（ａ）は、サブリンクがベースに取り付けられた状態においてベースの側から眺めた模式的斜視図である。図１７（ｂ）は、サブリンクがベースに取り付けられた状態においてベースとは反対の側（第１のケース３０１の側）から眺めた模式的斜視図である。
【００９９】
本具体例のサブリンク３３２は、内面３３２ａを有する。サブ回転カム３３５が回転しサブリンク３３２の内面３３２ａを押すことで、サブリンク３３２は、壁面１０と略平行な方向に移動する。  
本具体例のサブリンク３３２は、溝部３３２ｂを有する。溝部３３２ｂには、連結アーム３３３の第２の突起部３３３ｂ（図１１参照）が挿入される。つまり、連結アーム３３３の第２の突起部３３３ｂは、溝部３３２ｂに挿入され、サブリンク３３２と係合する。なお、メインリンク３３１の構造は、サブリンク３３２の構造と同様である。
【０１００】
図１８は、本具体例の連結アームを表す模式的斜視図である。  
図１８（ａ）は、連結アームがベースに取り付けられた状態においてベースとは反対の側（第１のケース３０１の側）から眺めた模式的斜視図である。図１８（ｂ）は、連結アームがベースに取り付けられた状態においてベースの側から眺めた模式的斜視図である。
【０１０１】
本具体例の連結アーム３３３は、第１の突起部３３３ａと、第２の突起部３３３ｂと、を有する。第１の突起部３３３ａは、連結アーム３３３がベース３０４に取り付けられた状態において、メインリンク３３１へ向かって突出している。第１の突起部３３３ａは、メインリンク３３１の溝部（図示せず）に挿入される。第２の突起部３３３ｂは、連結アーム３３３がベース３０４に取り付けられた状態において、サブリンク３３２へ向かって突出している。第２の突起部３３３ｂは、サブリンク３３２の溝部３３２ｂに挿入される。
【０１０２】
本具体例の連結アーム３３３は、穴３３３ｃを有する。穴３３３ｃは、第１の突起部３３３ａと第２の突起部３３３ｂとの間に設けられている。穴３３３ｃには、ベース３０４に設けられた軸３３３ｄ（図１１参照）が挿入される。これにより、連結アーム３３３は、軸３３３ｄを中心として回転することができる。
【０１０３】
次に、本具体例の検出部について、図面を参照しつつ説明する。  
図１９は、本具体例の検出部を説明する模式図である。  
図２０は、図１９（ａ）に表した矢印ＡＷ４１の方向に眺めた模式的平面図である。  
図２１は、本具体例の検出部を説明する模式的分解図である。  
図１９（ａ）は、本具体例の検出部を説明する模式的斜視図である。図１９（ｂ）は、図１９（ａ）に表した領域ＡＲ２を拡大した模式的拡大図である。
【０１０４】
図２０および図２１に表したように、本具体例の検出部３４０は、磁石３４１と、ホール素子３４３と、を有する。本具体例の検出部３４０は、図４に関して前述した検出部２４１に相当する。図１４に関して前述したように、磁石３４１は、メイン回転カム３３４の凹部３３４ｃに保持されている。図２０および図２１に表したように、ホール素子３４３は、基板３０６に設けられている。
【０１０５】
図１２（ａ）および図１２（ｂ）に関して前述したように、例えば使用者などが操作ボタン３１０を押し操作すると、操作ボタン３１０の押動部３１０ａは、メイン回転カム３３４の受け面３３４ｂを押す。これにより、メイン回転カム３３４は、軸３３４ａを中心として回転する。
【０１０６】
磁石３４１は、メイン回転カム３３４に保持されているため、メイン回転カム３３４が回転するとメイン回転カム３３４とともに移動する。すると、磁石３４１とホール素子３４３との間の距離が変化する。これにより、操作ボタン３１０の押し操作が検出される。なお、磁石３４１およびホール素子３４３の設置位置は、本具体例には限定されない。例えば、ホール素子３４３がメイン回転カム３３４に設けられ、磁石３４１が基板３０６に設けられていてもよい。また、操作ボタン３１０の押し操作の検出方法は、本具体例には限定されない。
【０１０７】
図１９（ａ）〜図２１では、メイン回転カム３３４に設けられた磁石３４１を有する検出部３４０について説明した。磁石３４１は、サブ回転カム３３５の凹部（図示せず）にも保持されている。これにより、サブ回転カム３３５の回転とともに移動する磁石３４１と、ホール素子３４３と、の間の距離が変化することによっても、操作ボタン３１０の押し操作が検出される。
【０１０８】
次に、図２２及び図２３を参照して、発電ユニットＧＵにおける電力の発生について説明する。図２２は、本発明の実施形態に係るリモコン装置のバネ機構を示す正面視における模式図であり、図２３は、本発明の実施形態に係るリモコン装置の発電機構を示す側面視における模式図である。
【０１０９】
図２２（Ａ）は、メインボタン群ＭＢとサブボタン群ＳＢのいずれのボタンも押されていない状態を示し、図２２（Ｂ）は、いずれかのボタンが押し込んでいる状態を示し、図２２（Ｃ）は、使用者がボタンを最も押し込んだ状態を示す図である。発電ユニットＧＵに内蔵されるバネ機構ＧＳは、キーＧ２と、第１バネＧ４と、第２バネＧ７を備える。
【０１１０】
キーＧ２は、リモコン装置ＲＣの幅方向に延びる棒状の部材であり、その下部には突起Ｇ２ｂを有している。また、キーＧ２の上面の一部にはラックＧ２ｃが形成されている。発電ユニットＧＵの内部に設けられる台座Ｇ６には、第２バネＧ７の一端が固定されている。
【０１１１】
図２２（Ａ）に示す状態では、この第２バネＧ７は、その他端によってキーＧ２の端面Ｇ２ａを力Ｆ７で付勢し、突起Ｇ２ｂを発電ユニットＧＵの内部に設けられるストッパＧ３に当接させてキーＧ２を静止させている。また、ストッパＧ３には第１バネＧ４の一端が固定されており、他端がキーＧ２の凹部Ｇ２ｄに固定されている。図２２（Ａ）に示す状態では、第１バネＧ４の長さはほぼ自然長であり、キーＧ２にほとんど力を及ぼしていない。
【０１１２】
図２３に示すように、発電機構ＧＧは、歯車Ｇ９と、回転軸Ｇ１０と、永久磁石Ｇ１１と、コイルＧ１３と、出力端子Ｇ１５を備えている。
【０１１３】
歯車Ｇ９はキーＧ２の上方に配置され（図２２参照）、その外周に設けられた複数の歯Ｇ９ａが、キーＧ２のラックＧ２ｃの一部と噛み合っている。回転軸Ｇ１０は、歯車Ｇ９の回転中心になるとともに、歯車Ｇ９とともに回転するよう設けられる。また、回転軸Ｇ１０には永久磁石Ｇ１１が固定されている。永久磁石Ｇ１１の周囲には、円筒形状のコイルＧ１３が回転軸Ｇ１０とほぼ同軸となるよう設けられている。
【０１１４】
以上のように構成された発電ユニットＧＵにおいて、メインボタン群ＭＢとサブボタン群ＳＢのいずれかのボタンが押し込まれた場合を考える。このボタンの押し込みによって第２スライド部材２０がスライドを開始すると、上記のように発電ユニットＧＵの入力部ＧＵ２が押し込まれる（図２参照）。この際、図２２（Ｂ）に示すように、キーＧ２はその端部Ｇ２ｄにおいて力Ｆ９を受ける。入力部ＧＵ２が受けた力は、図示しないラッチ機構を介してキーＧ２の端部Ｇ２ｄに伝達される。これにより、キーＧ２は矢印Ａ１０の方向に移動し、力Ｆ１１を受けながら第２バネＧ７を圧縮させるとともに、力Ｆ１０を受けながら第１バネＧ４を伸張させる。これにより、第２スライド部材２０から入力された機械的エネルギーが、第１バネＧ４と第２バネＧ７の変形による弾性エネルギーとして蓄積されていく。
【０１１５】
また、キーＧ２が矢印Ａ１０の方向に移動することで、歯Ｇ９ａがラックＧ２ｃと噛み合っている歯車Ｇ９も、矢印Ｒ１の方向に回転する。これにより、回転軸Ｇ１０に固定されている永久磁石Ｇ１１がコイルＧ１３内で矢印Ｒ１の方向に回転し、電磁誘導によって電力が発生する。発生した電力は、コイルＧ１３の出力端子より取り出され、コンデンサ３０に充電される。
【０１１６】
使用者がさらにボタンを押し込み、ボタンがストッパに当接するまで押し込まれると（図４下段参照）、入力部ＧＵ２とキーＧ２の端部Ｇ２ｄとの間に介在するラッチ機構（図示せず）の解除が行われる。これにより、ボタンがストッパに当接したままの状態であっても、図２２（Ｃ）に示すように、キーＧ２は復元しようとする第１バネＧ４と第２バネＧ７から、それぞれ力Ｆ１３、力Ｆ１４を受け、矢印Ａ１２の方向へと移動する。これにより、第１バネＧ４と第２バネＧ７の変形による弾性エネルギーとして蓄積されていた機械的エネルギーが放出される。
【０１１７】
この際、キーＧ２が矢印Ａ１２の方向に移動することで、歯車Ｇ９は矢印Ｒ２の方向に回転する。これにより、永久磁石Ｇ１１がコイルＧ１３内で矢印Ｒ２の方向に回転して電力が発生し、その電力がコンデンサ３０に充電される。第１バネＧ４と第２バネＧ７は急速に復元するため、永久磁石Ｇ１１矢印Ｒ２の方向への回転速度は、上記の矢印Ｒ１の方向への回転速度よりも大きなものとなる。
【０１１８】
図２５は、本具体例の変形例２のメイン回転カムを表す模式図である。変形例２の具体的な構成は上述したリモコン装置２００とほぼ同じ構成であり、上述したメイン回転カム３３４が、図２５のメイン回転カム３３４２に置き換わったものである。
【０１１９】
メイン回転カム３３４と、変形例２のメイン回転カム３３４２との違いは、受け面３３４ｂの形状が違うことである。具体的には、メイン回転カム３３４２は、操作ボタン２１０の押動部３１１ａから押される受け面３３４２ｂを有する。
【０１２０】
受け面３３４２ｂは、操作ボタン３１０の押し操作の方向に対して一定の角度で傾斜しており、受け面の途中から角度が変化する第一変化点３３４２ｇを備える。受け面３３４２ｂは、押動部３１１ａから押される初期は、受け面３３４ｂより緩やかな第一傾斜部３３４２ｈであり、第一変化点３３４２ｇ以降は、第一傾斜部３３４２ｈに比べて急な第二傾斜部３３４２ｉを有する形状となっている。また、第二傾斜部３３４２ｉは、受け面３３４ｂより急な角度の傾斜である。
【０１２１】
図２６は、本具体例の変形例２の操作ボタンの押し込み量と操作力との関係を表したグラフと図２４との比較グラフである。破線は、角度が変化する変化点を表している。
【０１２２】
図２６から、第一傾斜部３３４２ｈを押すための操作力は、比較グラフの操作力より大きい操作力が必要である。これは、第一傾斜部３３４２ｈの方が、傾斜が緩やかな分、力の伝達効率が悪くなるため大きな力でメイン回転カム３３４２を押す必要があるためである。第一傾斜部３３４２ｈは、比較グラフの傾斜と比べて、傾斜が緩やかであるため、押し込み量に対して、メイン回転カム３３４２の回転量（移動量）が多い。例えば、同じ押し込み量１ｍｍでも、緩やかな傾斜の場合は、回転量が３ｍｍ、比較グラフの傾斜の場合は、回転量が２ｍｍになる。
【０１２３】
一方、第一傾斜部３３４２ｈを押すための操作力である前半部分は、比較グラフの操作力より大きいが、第二傾斜部３３４２ｉを押すための操作力である後半部分は、小さくなる。
【０１２４】
図２６から、操作力の最大値が、比較グラフの最大値Ｐ１より変形例２のグラフの最大値Ｐ２のほうが小さい。これは、操作力が最大となる付近の傾斜を急な傾斜とすることで、操作力の最大値を小さくしたからである。発電をするための仕事量は同じでも、操作力の最大値が下がることで、使用者にとって使い勝手が良いリモコンとなる。つまり、変形例２における発電を行うための操作ボタン３１０の押し操作の操作力の最大値を下げる操作力調整手段は、受け面の傾斜角度を途中から変更することで達成されるものである。
【０１２５】
図２７は、本具体例の変形例３のメイン回転カムを表す模式図である。変形例３の具体的な構成は上述したリモコン装置２００とほぼ同じ構成であり、上述したメイン回転カム３３４が、図２７のメイン回転カム３３４３に置き換わったものである。
【０１２６】
変形例３の構成は、変形例２の受け面の構成が違うだけで他は同じである。
【０１２７】
受け面３３４３ｂは、操作ボタン３１０の押し操作の方向に対して一定の角度で傾斜しており、受け面の途中から角度が変化する第二変化点３３４３ｇを２箇所備える。受け面３３４３ｂは、押動部３１１ａから押される初期は、受け面３３４ｂより緩やかな第三傾斜部３３４３ｈであり、初めの第二変化点３３４３ｇ以降は、第三傾斜部３３４３ｈに比べて急な第四傾斜部３３４３ｉを有する形状となっている。更に、後の第三変化点３３４３ｊ以降は、第四傾斜部３３４３ｉより更に急な第五傾斜部３３４３ｋとなっている。また、第二傾斜部３３４２ｉは、受け面３３４ｂより急な角度の傾斜である。
【０１２８】
変形例３は、緩やかな傾斜を変形例２の傾斜より長くすることで、押し込み量を比較グラフより短くできる。
【０１２９】
図２８は、本具体例の変形例３の操作ボタンの押し込み量と操作力との関係を表したグラフと図２４との比較グラフである。破線は、角度が変化する変化点を表している。
【０１３０】
図２８からも分かるように、変形例３も変形例２と同様に、操作力の最大値が、比較グラフの最大値Ｐ１より変形例３のグラフの最大値Ｐ３のほうが小さい。つまり、変形例３における発電を行うための操作ボタン３１０の押し操作の操作力の最大値を下げる操作力調整手段は、受け面の傾斜角度を途中から変更することで達成されるものである。
【０１３１】
つまり、変形例２及び変形例３は、操作力が大きくなる位置に、操作する力が小さい急な傾斜面を位置させることで、操作力の最大値を下げつつ、操作力の波形を調整することできるため、使用者の操作性を上げ、使用者の使い勝手を良くするだけでなく、使用者の操作感も良いリモコンとしている。また、何度も保持と保持状態の破壊を繰り返すため、操作力は一定ではなく山が複数存在する形となる。そのため、大きい操作力が何度も必要となり使用者にとって使い勝手が悪かったが、前半の操作力が軽い部分を上げ、後半の操作力が重い部分を下げることで、リモコンの操作ストローク内の操作力の差の軽減を実現させ、使用者にとって操作感のよいリモコンとなった。
【０１３２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン装置２００、３００および伝達機構２３０、３３０などが備える各要素の形状、寸法、材質、配置などや操作ボタン２１０、３１０および検出部３４０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【０１３３】
特に、受け面の角度や角度の変化点の位置については、様々な種類の発電部によって変更可能である。
【符号の説明】
【０１３４】
１０  壁面、  １００  トイレ装置、  １１０  便器、  １２０  便座ユニット、  １２２  本体部、  １２４  便座、  １２６  便蓋、  １３０  ノズル、  ２００  リモコン装置、  ２０１  リモコン本体、  ２１０  操作ボタン、  ２１０ｍ  メインボタン群、  ２１０ｓ  サブボタン群、  ２１１  おしり洗浄ボタン、  ２１２  ビデ洗浄ボタン、  ２１３  乾燥ボタン、  ２１４  停止ボタン、  ２１５  吐水流量大ボタン、  ２１６  吐水流量小ボタン、  ２１７  洗浄位置前進ボタン、  ２１８  洗浄位置後退ボタン、  ２２０  発電部、  ２２１  本体モジュール、  ２２２  可動部、  ２２８  クリック機構、  ２３０  伝達機構、  ２３１  第１伝達部、  ２３２  第２伝達部、  ２３３  連結部材、  ２３３ａ  軸、  ２４１  検出部、  ２４３  電源部、  ２４５  蓄電素子、  ２５０  制御部、  ２５１  マイコン、  ２５３  高周波発生回路、  ２５５  送信部、  ３００  リモコン装置、  ３０１  第１のケース、  ３０２  第２のケース、  ３０４  ベース、  ３０６  基板、  ３０９  ハンガ、  ３１０  操作ボタン、  ３１０ａ  押動部、  ３１１  第１のボタン、  ３１１ａ  押動部、  ３１２  第２のボタン、  ３１３  第３のボタン、  ３１４  第４のボタン、  ３１４ａ  押動部、  ３１５  第５のボタン、  ３１５ａ  押動部、  ３１６  第６のボタン、  ３１７  第７のボタン、  ３１８  第８のボタン、  ３１９  第９のボタン、  ３１９ａ  押動部、  ３２０  発電部、  ３２１  本体モジュール、  ３２２  可動部、  ３３０  伝達機構、  ３３１  メインリンク、  ３３１ａ  内面、  ３３２  サブリンク、  ３３２ａ  内面、  ３３２ｂ  溝部、  ３３３  連結アーム、  ３３３ａ  第１の突起部、  ３３３ｂ  第２の突起部、  ３３３ｃ  穴、  ３３３ｄ  軸、  ３３４  メイン回転カム、  ３３４ａ  軸、  ３３４ｂ  受け面、  ３３４ｃ  凹部、  ３３４ｄ  穴、  ３３４ｅ  ラウンド部、  ３３４ｆ  凸部、  ３３５  サブ回転カム、  ３３５ａ  軸、  ３３５ｂ  受け面、  ３３６  バネ、  ３４０  検出部、  ３４１  磁石、  ３４３  ホール素子、  ３３４２  メイン回転カム、  ３３４２ｂ  受け面、  ３３４２ｇ  第一変化点、  ３３４２ｈ  第一傾斜部  ３３４２ｉ  第二傾斜部、  ３３４３  メイン回転カム、  ３３４３ｂ  受け面、  ３３４３ｇ  第二変化点、  ３３４３ｈ  第三傾斜部  ３３４３ｉ  第四傾斜部  ３３４３ｊ  第三変化点、  ３３４３ｋ  第五傾斜部
【図１】
2018073770.tif 000003
【図２】
2018073770.tif 000004
【図３】
2018073770.tif 000005
【図４】
2018073770.tif 000006
【図５】
2018073770.tif 000007
【図６】
2018073770.tif 000008
【図７】
2018073770.tif 000009
【図８】
2018073770.tif 000010
【図９】
2018073770.tif 000011
【図１０】
2018073770.tif 000012
【図１１】
2018073770.tif 000013
【図１２】
2018073770.tif 000014
【図１３】
2018073770.tif 000015
【図１４】
2018073770.tif 000016
【図１５】
2018073770.tif 000017
【図１６】
2018073770.tif 000018
【図１７】
2018073770.tif 000019
【図１８】
2018073770.tif 000020
【図１９】
2018073770.tif 000021
【図２０】
2018073770.tif 000022
【図２１】
2018073770.tif 000023
【図２２】
2018073770.tif 000024
【図２３】
2018073770.tif 000025
【図２４】
2018073770.tif 000026
【図２５】
2018073770.tif 000027
【図２６】
2018073770.tif 000028
【図２７】
2018073770.tif 000029
【図２８】
2018073770.tif 000030